(57)【要約】【課題】天井または壁面に埋め込まれて設置されるスプリンクラーヘッドにおいて、天井面または壁面からの突出量を抑え、外力によるスプリンクラーヘッドの破損や、過剰な負荷が加わることを防止した埋込型スプリンクラーヘッドの提供。【解決手段】感熱分解部分４０を保護する筒状のハウジング６０をスプリンクラーヘッドの外周面に係止させ、スプリンクラーヘッドの作動時にはハウジング６０とガイドリング５３に各々設けた摺動部５６、６２が、ガイドリング５３の落下動作をガイドし、ハウジング６０下端の段部６４にデフレクター５１が吊設されたガイドリング５３を係止する構造とした。【選択図】　　図１
2004024555.tif 000002
【特許請求の範囲】
【請求項１】
天井または壁面内部に埋め込まれて設置され、作動時にはデフレクターが天井面または壁面より突出して消火水の散布を行う埋込型スプリンクラーヘッドにおいて、感熱分解部分を保護する筒状のハウジングをスプリンクラーヘッドの外周面に係止させ、作動時にハウジング下端の段部にデフレクターが吊設されたガイドリングが係止される構造であることを特徴とした埋込型スプリンクラーヘッド。
【請求項２】
前記請求項１記載のハウジングとガイドリングに、それぞれ摺動部分が設置されていることを特徴とした埋込型スプリンクラーヘッド。
【請求項３】
前記請求項１または請求項２記載のハウジングの側面には、開口部が設けられていることを特徴とした埋込型スプリンクラーヘッド。
【請求項４】
前記請求項１から請求項３記載のスプリンクラーヘッドにおいて、ハウジング内壁と摺動部分との間に、リングの外周の一部に水平板が設けられた補助デフレクターを摺動自在に嵌入させ、ハウジング下端の段部に水平板が摺動自在に通過できる孔または溝を設けたことを特徴とした埋込型スプリンクラーヘッド。
【発明の詳細な説明】
【０００１】
【発明の属する技術分野】
本発明は消火用のスプリンクラーヘッドに関するものである。
【０００２】
【従来の技術】
従来のスプリンクラーヘッドは火災の際に自動的に作動して消火水を散布し、火災を抑制・消火するものであり、ホテルやオフィスビル、病院等に設置されている。
【０００３】
これらの建物に設置されるスプリンクラーヘッドは、天井や壁面に埋め込んだ状態で設置され、天井面からの突出部分が少ない意匠性に優れる埋込型スプリンクラーヘッドが大部分を占めている。
【０００４】
埋込型スプリンクラーヘッドは火災によって作動した際には、スプリンクラーヘッド内部に収容されている消火水を室内に均一に散布するためのデフレクターが落下し、天井面より突出して消火水の散布を行うものである。
【０００５】
埋込型スプリンクラーヘッドの一例として、特開平７−２８４５４５号公報に記載されたものがあり、図８に埋込型スプリンクラーヘッドの断面図、及び図７に図８の埋込型スプリンクラーヘッドの作動状態を示す。
【０００６】
【発明が解決しようとする課題】
しかしながら、従来の埋込型スプリンクラーヘッドは、火災の初期の段階で火災を感知して作動させるために、下端にヒートコレクターが数枚設置されており、また天井面に対するスプリンクラーヘッドの設置位置が、天井下面とスプリンクラーヘッドのフレーム端が同じ高さになるように設置されているので、天井面からの突出量が多いものであった。
【０００７】
天井面からの突出量が多いと、外力によって破損したりあるいは過剰な荷重がスプリンクラーヘッドに加わり、スプリンクラーヘッドの不時放水を招くおそれがある。
【０００８】
外力からスプリンクラーヘッドを保護するためにガードを設置することも考えられるが、ガードを設置するためのコストやガードをスプリンクラーヘッドに取付ける手間がかかる。
【０００９】
あるいは図７、８に示すように天井位置をＢとして、スプリンクラーヘッドを天井内の奥へ設置し、天井面からの突出量を少なくすると、火災時にスプリンクラーヘッドが作動した際、天井面とデフレクターの距離が接近しすぎて正規の散水分布が得られずに火災を延焼させてしまうおそれがある。
【００１０】
そこで本発明では、天井または壁面に埋め込んで設置されるスプリンクラーヘッドにおいて、天井面または壁面からの突出量を抑え、外力によるスプリンクラーヘッドの破損や、過剰な負荷が加わることを防止した埋込型スプリンクラーヘッドの提供を目的としている。
【００１１】
【課題を解決するための手段】
上記の目的を達成するために請求項１記載の発明は、天井または壁面内部に埋め込まれて設置され、作動時にはデフレクターが天井面または壁面より突出して消火水の散布を行う埋込型スプリンクラーヘッドにおいて、感熱分解部分を保護する筒状のハウジングをスプリンクラーヘッドの外周面に係止させ、作動時にハウジング下端の段部にデフレクターが吊設されたガイドリングが係止される構造とした埋込型スプリンクラーヘッドである。
【００１２】
請求項２記載の発明は、前記請求項１記載のハウジングとガイドリングに、それぞれ摺動部分が設置されているものである。
【００１３】
請求項３記載の発明は、前記請求項１または請求項２記載のハウジングの側面には、開口部が設けられているものである。
【００１４】
請求項４記載の発明は、前記請求項１から請求項３記載のスプリンクラーヘッドにおいて、ハウジング内壁と摺動部分との間に、リングの外周の一部に水平板が設けられた補助デフレクターを摺動自在に嵌入させ、ハウジング下端の段部に水平板が摺動自在に通過できる孔または溝を設けたものである。
【００１５】
【発明の実施の形態】
以下、この発明の第１実施形態を図１から図４を参照して説明する。図１は第１実施形態の断面図、図２は散水部およびハウジングの分解斜視図、図３は第１実施形態の外観図、図４は第１実施形態の作動時の断面図を表す。
【００１６】
本発明のスプリンクラーヘッドは、本体１０、フレーム２０、止水部３０、感熱分解部分４０、散水部５０、ハウジング６０、集熱板７０から構成されている。
【００１７】
本体１０は中央にノズル１１が穿設されており、その下端は弁座１２となっていて、外周上部には給水配管と接続する牡ネジ１３が螺設されている。下端はフランジ１４となっている。
【００１８】
フレーム２０は円筒状であり、下端は一部が切欠かれた内方フランジ２１となっている。内方フランジ２１の切欠かれた部分には、ハウジング６０のガイド部６２が差し込まれる。上端は前述の本体１０と螺合している。またフレーム２０の外周にはハウジング６０の爪６１が係止される段部２２が形成されている。
【００１９】
止水部３０は、弁体３１とパッキン３２から成り、弁体３１の上部にパッキン３２が被着されて、平時には本体１０の弁座１２を閉塞している。
【００２０】
感熱分解部分４０は、フレーム２０の下端に設けられ、ガイドポスト４１を介して弁体３１を保持している。感熱分解部分については特公昭５８−３６９８５号等で周知されているので、ここでの詳細な説明は省略する。
【００２１】
散水部５０は、デフレクター５１、ピン５２、ガイドリング５３から構成されている。デフレクター５１は、火災時ノズルから放出される消火水を衝突させて室内に均一に散布するためのもので、板状をしており周縁に溝や穴が穿設され、上面には止水部３０が接合されている。
【００２２】
ピン５２は、デフレクター５１の穴５４と摺動自在に嵌入され、下端はフランジ形状をしておりデフレクター５１が吊設される。ピン５２の上端はガイドリング５３にカシメにより固定されている。
【００２３】
ガイドリング５３は、板をリング状に形成したもので、前述のピン５２、５２が接合される穴５５、５５が穿設され、外周縁にはハウジング６０のガイド部６２、６２と摺動するアーム５６、５６が下方に向かって垂設されている。
【００２４】
ハウジング６０は、円筒状であり上部は切欠かれて開口部６３・・・が形成されている。側面の上部には、前述のフレーム２０の段部２２と係合する爪６１が軸方向に突出して形成されている。爪６１はフレーム２０と係合した後、容易に抜けないように水平より下向きに形成されている。
【００２５】
ハウジング６０の下端には、段部として内方フランジ６４が形成されている。内方フランジ６４の内径は一部切欠かれており、該切欠き部分より垂直にガイド部６２が立設されている。
【００２６】
ガイド部６２の軸側の面は、前述ガイドリング５３のアーム５６の外面と摺動する面であり、スプリンクラーヘッドの作動時にはガイドリング５３のリング部分が、内方フランジ６４に係止されデフレクター５１を所定の位置まで落下させることができる。
【００２７】
集熱板７０は、熱伝導性の良好な金属より形成され板状をしており、火災の熱を吸収して感熱分解部分４０に伝える作用を有する。
【００２８】
次に、本発明の第１実施形態の作動について説明する。火災が発生すると、集熱板７０が火災の熱を吸収し、熱を感熱分解部分４０に伝える。感熱分解部分４０は熱により分解・落下する。
【００２９】
すると感熱分解部分４０により押圧されていた止水部３０が弁座１２から離れ、ノズル１１内の消火水が放出される。同時に止水部３０と接合している散水部５０もアーム５６がガイド部６２に沿って落下し、ガイドリング５３が内方フランジ６４に係止され、デフレクター５１が所定の位置まで落下して吊設される。
【００３０】
ノズル１１より放出された消火水はデフレクター５１に衝突して室内に均一に散布され、火災を鎮圧・消火する。
【００３１】
次に本発明の第２実施形態について図５、図６を参照して説明する。図５は第２実施形態のスプリンクラーヘッドの断面図である。図６は第２実施形態の散水部とハウジングの分解斜視図である。
【００３２】
第２実施形態のスプリンクラーヘッドは壁面に水平に取付けられる側壁型スプリンクラーヘッドであり、第１実施形態との相違点は、ハウジング６０内周とガイド部６２の外周の間に補助デフレクター５７を摺動自在に嵌入させたことである。尚、第１実施形態と構造が同じ箇所については同符号を付して説明は省略する。
【００３３】
補助デフレクター５７は、リング部５８と水平部５９から構成され、リング部５８の側面は、ハウジング６０内周とガイド部６２の外周に沿って摺動する。
【００３４】
水平部５９は、ノズル１１から放出される消火水を遠方に飛散させる作用を有しており、ハウジング６０の内方フランジ６４に穿設した矩形孔６５と摺動自在に嵌め込まれている。
【００３５】
次に第２実施形態の作動について説明する。第２実施形態のスプリンクラーヘッドは、図５に示すように壁面に設置されている。補助デフレクター５７は平時、水平部５９がハウジング６０内に収納された状態、つまりリング部５８の一面が、フレーム２０の下端に接触した状態で設置されている。
【００３６】
火災が発生すると、火災の熱により感熱分解部分４０が分解してノズル１１が開放され消火水が放出される。同時に散水部５０が消火水の流れによって前方に移動する。
【００３７】
このとき、ガイドリング５３のリング部の外周縁が補助デフレクター５７のリング部５８の内周縁と係合し、補助デフレクター５７を前方に押し出して、補助デフレクター５７の水平部５９が、内方フランジ６４の矩形孔６５より突き出た状態になる。
【００３８】
ノズル１１より放出された消火水は、デフレクター５１および補助デフレクター５７の水平部５９に衝突して室内に均一に散布され、火災を鎮圧・消火する。
【００３９】
その他の実施形態として、集熱板７０の外力による変形や破損を防止するために、ハウジング６０の下端周縁に複数の切欠きが形成されるように垂下部材を設けることも可能である。
【００４０】
【発明の効果】
以上説明したように本発明によれば、スプリンクラーヘッドの天井面または壁面からの突出量を少なくしたことによって外力が加わりにくい構成にしたものである。
【００４１】
また地震等により天井板やスプリンクラーヘッドが接続された配管が揺れ、スプリンクラーヘッドと天井板が衝突した場合に、感熱分解部分がハウジングによって全周から保護されているので、感熱分解部分が衝撃によって分解することを防止できる。
【００４２】
さらに本発明を側壁型スプリンクラーヘッドに採用することで、補助デフレクターをハウジング内部に収納することが可能となり、外力による補助デフレクターの変形を防止できる。
【００４３】
また更なる効果として、補助デフレクターをハウジング内に収納したことで、天井から壁面に沿って流れる熱気流を、効率的に集熱板に到達させることが可能となる。
【図面の簡単な説明】
【図１】第１実施形態の断面図
【図２】第１実施形態の散水部およびハウジングの分解斜視図
【図３】第１実施形態の外観図
【図４】第１実施形態の作動時の断面図
【図５】第２実施形態の断面図
【図６】第２実施形態の散水部とハウジングの分解斜視図
【図７】図８の埋込型スプリンクラーヘッドの作動状態
【図８】従来の埋込型スプリンクラーヘッドの断面図
【符号の説明】
１０　本体
１１　ノズル
１２　弁座
１３　牡ネジ
１４　フランジ
２０　フレーム
２１　内方フランジ
２２　段部
３０　止水部
３１　弁体
３２　パッキン
４０　感熱分解部分
５０　散水部
５１　デフレクター
５２　ピン
５３　ガイドリング
５６　アーム
５７　補助デフレクター
５８　リング部
５９　水平部
６０　ハウジング
６１　爪
６２　ガイド部
６３　開口部
６４　内方フランジ
６５　矩形孔
７０　集熱板
【図１】
2004024555.tif 000003
【図２】
2004024555.tif 000004
【図３】
2004024555.tif 000005
【図４】
2004024555.tif 000006
【図５】
2004024555.tif 000007
【図６】
2004024555.tif 000008
【図７】
2004024555.tif 000009
【図８】
2004024555.tif 000010